(57)【特許請求の範囲】
【請求項１】
負荷に供給する電源を、第一の交流電源と第二の電源との間で切り替える電源切替え装置において、前記第一の交流電源に接続され、接続された前記第一の交流電源を全波整流して得られる信号の電圧の大きさに応じたレベルを持つ二値の信号を出力する第一のコンパレータと、
前記第一のコンパレータの出力を積分し、前記第一の交流電源の周期的電圧変動期間中に、前記第一のコンパレータが出力するパルス信号のパルス幅を超える期間、前記第一のコンパレータからの信号のレベルが一方から他方へ変動したまま維持されたとき、所定の電圧を有する信号を出力する積分回路と、
前記積分回路から入力する信号の大きさに応じたレベルを持つ二値の信号を出力する第二のコンパレータと、を備えた制御部と、
前記第一の交流電源と前記第二の電源とが入力側に接続され、前記第二のコンパレータの出力信号の値に応じて、出力する電流を前記第一の交流電源から供給される電流と前記第二の電源から供給される電流とのいずれかに切り替える切り替え部と、を備え、
前記積分回路が出力する信号が有する所定の電圧は、前記第二のコンパレータの出力信号の値が一方から他方に変動する閾値を超える電圧であること、を特徴とする、電源切替え装置。
【請求項２】
請求項１記載の電源切り替え装置が接続する前記第二の電源は第二の交流電源であり、
前記制御部はさらに、
入力する信号を整流する整流回路と、前記整流回路で整流された信号から、特定周波数以下の周波数成分を除去するハイパスフィルタとを備え、
前記ハイパスフィルタ出力が前記第一のコンパレータに入力することを特徴とする、電源切替え装置。
【請求項３】
請求項１又は２に記載の電源切替え装置はさらに、
前記電源切替え装置内の動作電源を供給する電源装置を備え、
前記電源装置は前記切り替え部の出力に接続され、前記切り替え部の出力から電源が供給されることを特徴とする、電源切り替え装置。
【発明の詳細な説明】
【技術分野】
【０００１】
本発明は、電子装置の電源切替え装置に関する。
【背景技術】
【０００２】
近年、多数のサーバを一カ所に設置したデータセンタの普及が進んでいる。データセンタには、サーバを高密度かつ大量設置するが前提となっているため、コスト、サイズ双方の関係から個々のサーバの冗長性を集約する傾向が出てきている。
【０００３】
例えば、電源の停止によるサーバ装置運用停止を防ぐ目的で、サーバの電源としてＵＰＳ（無停電電源装置、Uninterruptible Power Supply）が用いられている。ＵＰＳを用いる場合、個別のサーバ単位、あるいはラック単位で小容量のＵＰＳを設置するという対応が取られているが、これとは別に、大容量のＵＰＳをデータセンタなどのファシリティに複数設置するという代替手段がとられることもある。
【０００４】
大容量のＵＰＳ装置を用いる場合、一台のＵＰＳが担当するサーバの台数が増えてくるために、ＵＰＳに必要とされる信頼性は、小容量のＵＰＳを用いる場合と比較して、必然的に高くなってくる。
【０００５】
ＵＰＳの信頼性を保ちつつ、サーバの電源系の信頼性を得る対応として、無瞬断電源切り替え装置（Ｓｔａｔｉｃ  Ｔｒａｎｓｆｅｒ  Ｓｗｉｔｃｈ、以下「ＳＴＳ」と称する）といわれる装置が用いられている。ＳＴＳには、電源入力として２系統の交流電源入力が設けられ、一系統の電源入力がダウンした場合には即座にもう一系統の電源入力に切り替えて、サーバへの電源供給を継続する対応が取られている。
【０００６】
図２４は、ＳＴＳを用いたサーバシステムの一例である。図２４の例では、各サーバがＰＳＵを搭載しており、各ＰＳＵに一台のＳＴＳが接続されている。図２４の例では計４台のサーバが設置されていることから、計４台のＳＴＳが設けられる。
【０００７】
各ＳＴＳには、Ａ側の系統の電源と、Ｂ側の系統の電源との、互いに独立した電源系統が接続されている。図２４の例では、Ａ側が主系統、Ｂ側が呼び系統の電源系統であるものとする。ＳＴＳは、主系統の電源がダウンした場合に、サーバに影響を与えないように予備系統、つまりＢ側の系統に電源系統を切り替える。
【０００８】
図２５は、ＳＴＳの構成の概要を示す図面である。ＳＴＳはその内部にリレースイッチが設けられている。リレースイッチは、コントローラの制御によって、サーバに供給する電源の系統をＡ側、Ｂ側の一方に切り替える。たとえば、Ａ側の系統から電源が供給されている状態でＡ側系統の電源がダウンした場合、コントローラはこれを検出し、リレースイッチを制御する。コントローラの制御によってリレースイッチがＡ側からＢ側に切りかえられ、サーバにはＢ側の系統から電源が供給されることになる。
【０００９】
データセンタでは、建屋の特定箇所にＵＰＳを集約するという対応が取られる。しかし、この場合には、ＵＰＳ／ＳＴＳとサーバとを接続するための配線が長くなってしまい、コストあるいはメンテナンスの容易さという面からは不利になる。
【００１０】
以下は、電源装置に関連する技術を開示する先行技術文献の例である。
【先行技術文献】
【特許文献】
【００１１】
【特許文献１】特開２００１−２６４３６７号公報
【特許文献２】特開２００２−０３４１７７号公報
【特許文献３】特開２００７−２１５３４４号公報
【発明の概要】
【発明が解決しようとする課題】
【００１２】
瞬間的な停電（瞬断）の影響からサーバを守るためには、交流の半サイクル以下で切り替えができることが望ましい。交流電力の周波数が６０ｈｚであれば８ｍｓ、５０ｈｚであれば１０ｍｓが半サイクルに相当する。
【００１３】
半導体リレーは一般的に高速動作が可能であり、半導体リレーをＳＴＳに用いれば瞬断の検出から１ｍｓ程度の期間でＵＰＳの切り替えも可能となる。しかし、装置が比較的高価になるという問題がある。また、半導体リレーが故障した場合にはショートモードとなってしまうため、ＳＴＳに保護回路を設ける必要が出てきてしまう。
【００１４】
これに対し、機械式リレーは比較的安価ではあるが、切り替えの時間に５ｍｓ程度の時間を要してしまい、半サイクル以下での切り替えを実現するには切り替え時間が遅い。
【００１５】
本発明は、瞬断の検出時における切り替えの信頼性を向上した電源切り替え装置を実現することを課題とする。
【課題を解決するための手段】
【００１６】
本発明は、その一形態において、負荷に供給する電源を、第一の電源と第二の電源との間で切り替える電源切替え装置において、前記第一の電源あるいは前記第二の電源の一方に接続された、電源から入力する信号の大きさに応じたレベルを持つ二値の信号を出力する第一のコンパレータと、前記第一のコンパレータ出力を積分する積分回路と、前記積分回路から入力する信号の大きさに応じたレベルを持つ二値の信号を出力する第二のコンパレータとを備えた制御部と、前記第一の電源と前記第二の電源とが入力側に接続され、前記第二のコンパレータ出力信号の値に応じて、出力する電流を前記第一の電源から供給される電流と前記第二の電源から供給される電流とのいずれかに切り替える切り替え部と、を備えたことを特徴とする。
【発明の効果】
【００１７】
本発明の一形態によれば、電源切り替え時の信頼性を向上することが可能となる。
【図面の簡単な説明】
【００１８】
【図１】本発明の一実施形態による情報処理システムの構成を示す図面である。
【図２】情報処理システムの一変形例を示す図面である。
【図３】コントローラと切り替え回路との構成を示す図面である。
【図４】コントローラと切り替え回路との各部の信号波形を示す図面である。
【図５】コントローラの変形例を示す図面である。
【図６】コントローラ各部の信号波形を示す図面である。
【図７】コンパレータを二つ備えた電源切替え装置の構成を示す図面である。
【図８】コンパレータが単一と仮定した場合のコントローラ各部の信号波形を示す図面である。
【図９】コンパレータを二つ備えた電源切替え装置の各部の信号波形を示す図面である。
【図１０】コントローラの動作を処理手順として記載したフローチャートである。
【図１１】電源切替え装置の動作を示すフローチャートである。
【図１２】１チップマイコンを用いたコントローラを有する電源切替え装置の構成を示す図面である。
【図１３】電源切替え装置の動作を示すフローチャートである。
【図１４】アナログ部の動作を示すフローチャートである。
【図１５】デジタル部の動作を示すフローチャートである。
【図１６】直流電源に接続された電源切替え装置の構成を示す図面である。
【図１７】逆流防止した電源切替え装置の構成を示す図面である。
【図１８】逆流防止した電源切替え装置の構成を示す図面である。
【図１９】交流電源と直流電源とに接続された電源切替え装置の構成を示す図面である。
【図２０】サーバからの電流逆流を示す図面である。
【図２１】逆流電流の影響を説明する図面である。
【図２２】電源切り替え装置等の回路例を示す図面である。
【図２３】電源切替え装置の応用例を示す図面である。
【図２４】ＳＴＳを用いたサーバシステムの一例を示す図面である。
【図２５】ＳＴＳの構成の概要を示す図面である。
【発明を実施するための形態】
【００１９】
図１は、本発明の一実施形態による情報処理システムの構成を示す。
【００２０】
図１の情報処理システムは、複数のサーバ（サーバ１〜サーバｎ）を有するシステムを例示している。
【００２１】
図１に示す各サーバには、UPS-AとUPS-Bとの二つのUPSから電源が供給される。また、各サーバに対応して、サーバに電源を供給するUPSをUPS-AとUPS-Bとの間で切り替えるスイッチＳＷ１〜ＳＷｎが設けられている。
【００２２】
また、各UPSの動作状態、具体的に言えば電圧を検知する検知回路が図１の情報処理システムに設けられている。検知回路は、UPS-AとUPS-Bとの双方に接続されており、検知したUPSの状況に応じて、UPS-A側あるいはUPS-B側のいずれの側に切り替えるのかを指示する信号を各スイッチに送出する。各スイッチは、検知回路からの信号に基づいて、UPS-A側あるいはUPS-B側に切り替える。
【００２３】
図１の例では、複数のサーバ１〜サーバｎはラックに搭載されており、スイッチＳＷ１〜ＳＷｎ、検知回路もラック内に搭載される。一方、双方のUPSは、ラックが設置された建屋内など、ラックの外部に設けられる。
【００２４】
図１では、複数のスイッチがひとつの検知回路を共有しているため、サーバ毎に検知回路を設ける必要はなくなる。
【００２５】
図２は、情報処理システムの一変形例である。図２の要素のうち、図１に共通なものについては説明を省略する。図２の例では、検知回路が２つ設けられている。各検知回路は、それぞれ別のＵＰＳの電圧を監視する。具体的には、検知回路ＡはＵＰＳ−Ａに、検知回路ＢはＵＰＳ−Ｂに接続され、接続しているＵＰＳの電圧を監視している。また、検知回路間は相互に接続されており、相互に状況を通知する。
【００２６】
図２では、検知回路Ａと検知回路Ｂとは、互いに異なるスイッチに接続されている。検知回路ＡはスイッチＳＷ１、ＳＷ３・・・に接続され、これらのスイッチのオンオフを制御する。また、検知回路ＢはスイッチＳＷ２・・・、ＳＷｎに接続され、これらスイッチのオンオフを制御する。
【００２７】
各検知回路は、定常状態では各ＵＰＳが電力を供給するサーバの数を、各ＵＰＳの定格の５０％でバランスさせるよう、各スイッチを制御する。そして、各検知回路は、自身が電圧監視をしているＵＰＳがダウンしたことを検知した場合には、ダウンしたＵＰＳから電力が供給されているサーバに対応するスイッチを切り替え、他方のＵＰＳからの電源供給を可能とする。
【００２８】
図３は、本実施形態の検知回路（コントローラ）と切り替え回路（スイッチ）との構成を示す図面である。また、図４は図３に示す回路各部の信号波形を示す図面である。図４において、（ａ）はＡ側電源ラインからの入力信号波形を、（ｂ）は絶対値回路の出力波形を、（ｃ）は積分回路の出力波形を、（ｄ）は切替え装置トリガ出力波形を、（ｅ）は切替え装置の出力波形を、それぞれ示している。
【００２９】
図３は、Ａ側電源とＢ側電源との２つの交流電源が設けられ、定常状態ではＡ側電源から電源をサーバに供給し、Ｂ側電源を予備用電源として用いる例を示している。
【００３０】
図３に示すように、本実施形態のコントローラは、アッテネータ、絶対値回路、積分回路、コンパレータを備え、またこれらの要素に電力を供給する制御回路用電源を有する。
【００３１】
図３の例では、コントローラにはＡ側電源からのラインが接続されている。図４に示す例では、（ａ）に示すようにＡ側電源ラインから入力する信号は、一部波形が欠けている。これは、瞬断などが発生している状態を示している。
【００３２】
Ａ側電源ラインから入力した電源電圧はアッテネータによって減衰させられ、絶対値回路に入力する。絶対値回路は、図４（ｂ）に示すように、入力した交流電源の絶対値を示す信号を出力する。図４では、絶対値回路出力信号は正の値を持つ信号として出力される。
【００３３】
絶対値回路から出力した信号は積分回路に入力し、図４（ｃ）に示すように積分された信号が出力する。図４に示すように、積分回路出力は常時飽和させられている。積分回路からの出力信号は、Ａ側電源ラインからの電源電圧が供給されているか否か、言い換えるとＡ側電源が動作しているかあるいはダウンしているかを示す信号となっている。図４の例で、Ａ側電源ラインからの入力信号波形が欠けている部分に対応する位置では、積分回路の出力信号は０Ｖとなっている。
【００３４】
積分回路からの出力信号はコンパレータに入力する。コンパレータは、図４（ｃ）に示す閾値と入力する信号とを比較し、入力する信号の値に応じた、１または０の二値の値を持つ信号を切り替え信号として出力する。図３の例では、入力信号が高いレベルの場合には０の、入力信号が低いレベルの場合には１の値を持つ信号を出力するものとする。
【００３５】
切り替え回路は、リレーとリレードライバとを備える。図３の例では、ドライバは機械式ドライバである。機械式リレーには、Ａ側電源ラインとＢ側電源ラインとが入力として接続されており、サーバなどに接続される出力ラインが出力として接続されている。
【００３６】
リレードライバは、コントローラから出力される切り替え信号の値によって、機械式リレーをＡ側電源ラインあるいはＢ側電源ラインの一方に切り替える。定常時、つまりＡ側電源が動作している状態では、機械式リレーはＡ側電源ラインの側に切り替えられる。図４（ｄ）に示す切替え装置トリガ出力は、コントローラからリレードライバに出力される切り替え信号波形に対応する。切り替え装置トリガ出力は、図４に示す（１）のようにＡ側電源のダウンから２ｍｓ以内に出力される。つまり、コントローラはＡ側電源のダウンを２ｍｓ以内に検出可能であることを示す。
【００３７】
切り替え信号を受けたリレードライバはリレーを切り替える。図４（ｅ）の切り替え装置出力波形は、Ａ側電源からＢ側電源への切り替えを考慮した、切替え装置からの信号出力波形を示している。Ａ側電源がダウンすると、一時的に切替え装置からの出力信号は０Ｖとなるが、図４の（２）に示すように、Ａ側電源のダウンから８ｍｓ以内にＢ側電源にリレーが切り替えられ、サーバ等に供給される電源を復帰させることができる。
【００３８】
図３の回路では、積分回路を常時飽和させているため、積分回路の出力低下を検出することによって電源信号の半サイクル以下でのリレー切り替えを可能としている。
【００３９】
なお、コントローラの制御回路用電源は、その動作電源が切り替え回路の出力ラインから供給されている。このため、Ａ側電源がダウンしても、Ｂ側電源にリレーを切り替えることで、制御回路用電源にも電力を安定して供給することができる。
【００４０】
図５は、コントローラの一変形例を示す図面である。また、図６は、図３における各部の信号波形を示す図面である。図６において、（ａ）はＡ側入力の信号波形を、（ｂ）は絶対値回路の出力波形を、（ｃ）は積分回路の出力波形を、（ｄ）は切替え装置トリガ出力波形を、それぞれ示している。
【００４１】
図３の例では、切り替え回路の出力ラインと制御回路用電源とが電気的に接続されている。そのため、Ａ側電源ラインがダウンしたときに制御回路用電源でノイズが発生してしまうと、これば出力ライン−機械式リレーを介してコントローラに逆流してしまう。図５の細矢印は、電流の逆流の態様を示すものである。図６のＡ側入力波形（ａ）では、制御回路用電源からのノイズが逆流した状態の波形を示している。図６（ａ）に示す波形の（１）の部分が逆流ノイズに相当する。Ａ側電源ラインがダウンしたにも関わらずコントローラに電流が逆流することによって、絶対値回路出力は図６（ｂ）のように変化する。図６（ｂ）の絶対値回路出力は、図４と比較してなだらかに変化する。そのため、積分回路出力は図６（ｃ）のように変化し、積分回路出力が閾値以下となるタイミングは図４の場合よりも遅延する。したがって、図６（ｅ）に示すように、切り替え信号がリレードライバに出力されるタイミングが遅延し、リレーが切り替えられる時間が遅れてしまう問題が生じる可能性がある。
【００４２】
そのため、図５の回路では、制御回路用電源と切り替えfd回路の出力ラインとを接続するライン上にラインフィルタを設け、制御回路用電源で発生したノイズの影響を低減することを可能とする。
【００４３】
図７は、他の実施形態によるコントローラを備えた電源切替え装置の構成を示す図面である。図７のコントローラは、図３等のコントローラに相当する要素である。図７のコントローラに、Ａ側、Ｂ側２系統の交流入力をリレーによって切り替えてＡＣ出力とする。
【００４４】
図７のコントローラは、電圧調整回路（アッテネータに相当）、ハイパスフィルタ、整流回路（絶対値回路に相当）、第一のコンパレータ、ローパスフィルタ、第２のコンパレータおよびロジック回路を有する。図７のコントローラはさらに、コントローラ内の各部に電力を供給するコントローラ電源を備えている。コントローラ電源へは、リレーの出力ラインから電力が供給される。
【００４５】
図７のコントローラは、図３などの検知回路とは異なり、複数のコンパレータを備えている。以下、その理由を説明する。
【００４６】
図８は、比較例として、コンパレータが単一であると仮定した場合の、コントローラ各部の信号波形を示している。比較例の場合には、入力信号を整流回路で整流して、積分回路（ローパスフィルタに相当）で積分し、コンパレータを用いて二値化している。ここで、リレーを切り替えた場合に発生するショットノイズが、コントローラに入力する。そのため、特にリレーをＢ側電源からＡ側電源に復帰させた場合にチャタリングが発生してしまう。
【００４７】
そこで、図７のコントローラでは、コンパレータを二つ設けて、発生するショットノイズへの耐性を向上させている。
【００４８】
図９は、図７に図示した回路各部の出力信号を示している。以下、図７および図９を用いて説明する。なお、図１０は、コントローラの動作を、処理手順の形態で記載したフローチャートである。
【００４９】
コントローラの電圧調整回路には、Ａ側電源ラインが入力として接続されている。電圧調整回路は、図１０のＳ１でＡ側電源ラインから入力するＡＣ入力信号を降圧する（Ｓ２）。電圧調整回路で降圧された入力信号は、ハイパスフィルタによってＡＣ周波数以下の周波数成分が除去される（Ｓ３）。その後、信号は整流回路によって全波整流され（Ｓ４）、第一のコンパレータに入力する。
【００５０】
第一のコンパレータは、入力する信号の電圧値に応じた値を持つ二値信号を出力する（Ｓ５）。図７の例では、入力信号の電圧が所定以上の場合にローレベルの信号を、入力信号の電圧が所定以下の場合にハイレベルの信号を出力する。図９の整流波形に示した点線は、コンパレータの閾値電圧を示している。図９に示すように、整流波形の電圧が閾値以上の場合にはコンパレータ出力はハイレベルとなり、整流波形の電圧が閾値以下の場合にはコンパレータ出力はローレベルとなる。
【００５１】
第一コンパレータによって二値化された信号は、ローパスフィルタ、つまり積分回路に入力する。ローパスフィルタは入力信号を積分し、ノイズ成分が除去される（Ｓ６）。次に、積分回路出力は第二のコンパレータに入力する。
【００５２】
第二のコンパレータは、入力信号の電圧が閾値以上の場合にハイレベルの信号を出力して、入力信号の電圧が閾値以下の場合にローレベルの信号を出力する。図９の積分回路出力波形に示されている点線は、第二のコンパレータの閾値電圧を示している。
【００５３】
この後、第二のコンパレータ出力はロジック回路を介してリレーに入力する。リレーはコントローラからの出力信号に応じて、Ａ側電源ラインとＢ側電源ラインとの一方に切り替える。図７の例では、コントローラ出力がローレベルの場合にはＡ側電源ラインに、ハイレベルの場合にはＢ側電源ラインに、それぞれリレーが切り替えられる。
【００５４】
図１１は、図７に示した回路の動作を示すフローチャートである。
【００５５】
定常状態では、コントローラはＡ側電源ラインの電圧を監視している（Ｓ１１、Ｓ１２）。その動作は図７、図９、図１０に関連して説明したとおりである。
【００５６】
Ａ側電源ライン監視の結果、Ａ側電源ラインからのＡＣ入力が断たれたことが検出された場合には（Ｓ１３、ＹＥＳ）、コントローラからリレーに対し、Ａ側電源ラインからＢ側電源ラインへの切り替えを指示する信号が出力される（Ｓ１４）。これにより、リレーはＢ側電源ラインに切り替えられ、サーバに対してＢ側電源ラインを介して電力が供給される。
【００５７】
この後も、コントローラは定常的にＡ側電源ラインの電圧監視を行う（Ｓ１５）。その結果、Ａが側電源ラインからのＡＣ供給が復帰した場合には（Ｓ１６、ＹＥＳ）、Ａ側電源の復帰から一定時間が経過した後に、動作が安定したか否かの確認を行う（Ｓ１７）。安定が確認された場合には（Ｓ１７、ＹＥＳ）、その後コントローラからリレーに切り替え信号が出力される（Ｓ１８）。この切り替え信号受信に応じて、リレーはＢ側電源ラインからＡ側電源ラインに切り替えられ、サーバに対するＡ側電源ラインからの電力供給が復帰する。
【００５８】
一方、安定が確認されなかった場合（Ｓ１７、ＮＯ）、切り替え信号はリレーには出力されない。そのため、Ｂ側電源からサーバへの電力供給状態が維持される。
【００５９】
図７の例では、アナログ的な回路を用いた場合の例を示したが、コントローラの機能は部分的にデジタル的な処理で行うことが可能である。
【００６０】
図１２は、一部の機能をデジタル処理で置き換えた場合のコントローラの構成を示す図面である。図１２の例では、整流回路の後段に１チップマイコンが設けられている。
【００６１】
図１３は、図１２に示すコントローラのおおまかな処理を示した図面である。図１２のコントローラを構成する要素のうち、電圧調整回路、ハイパスフィルタおよび整流回路はアナログ的に動作するので、まずアナログ部による処理が実行される（Ｓ２２）。その後、１チップマイコンつまりデジタル部によって処理が行われる（Ｓ２３）。
【００６２】
図１４は、アナログ部による動作の手順をフローチャートの形式で記載した図面である。図１２の回路では、電圧調整回路によって、コントローラに入力した信号が降圧され（Ｓ３２）、ハイパスフィルタによってＡＣ周波数以下の周波数成分が除去された後（Ｓ３３）、整流回路で全波整流が行われる（Ｓ３４）。この動作は、図７に示した回路の動作と同様なものである。
【００６３】
図１５は、図１２の回路のデジタル部による処理手順を示すフローチャートである。図１２の回路の例では、デジタル部である１チップマイコンには、あらかじめ図１５の処理を実行するためのプログラムが設定されているものとする。なお、特に図示はしないが、１チップマイコンの外部に、図１５の処理を１チップマイコンに行わせるためのプログラムを記憶したメモリなどを設けてもよいことはいうまでもない。
【００６４】
デジタル部に信号が入力すると、入力信号がサンプリングされた後、コンパレータに相当する処理が実行される（Ｓ４１）。コンパレータの処理として、図７の回路と同様に、入力信号がハイレベルの場合にローレベルの信号が、入力信号がローレベルの場合にハイレベルの信号が、それぞれ出力されるものとする。
【００６５】
続いて、コンパレータ出力信号の電圧が、電圧閾値以上か否かが判定される（Ｓ４２）。コンパレータからの信号電圧が電圧閾値以上の場合（Ｓ４２、ＹＥＳ）には、値が「０」のフラグが設定され、コンパレータからの信号電圧が電圧閾値以下の場合（Ｓ４２、ＮＯ）には、値が「１」のフラグが設定される。これらのフラグは、コンパレータによる判断結果を示す値が設定されるものであり、値が「０」の状況では、Ａ側電源からの信号電圧が低下していることになる。
【００６６】
１チップマイコンでは次いで、コンパレータが出力するフラグの値を判別する処理が行われる（Ｓ４３）。この処理では、値が「０」のフラグがあらかじめ設定された閾値個数分連続しているか否か、言い換えるとＡ側電源からの信号出力が低下している状況が所定時間以上継続しているか否かが判定される。
【００６７】
値が「０」のフラグが閾値数分だけ続いている場合（Ｓ４３、ＹＥＳ）には、Ａ側電源がダウンしたものとして、コントローラからリレーに対してＡ側電源からＢ側電源に切り替えを指示する切り替え信号が出力される（Ｓ４４）。
【００６８】
一方、値が「０」のフラグが閾値数続いていない場合（Ｓ４３、ＮＯ）には、続いて、値が「１」のフラグが閾値数以上続いているか否かが判別される（Ｓ４５）。Ａ側電源がダウンしている状態で、値が「１」のフラグが閾値数以上続いている場合（Ｓ４５、ＹＥＳ）には、Ａ側電源が復帰したと考えることができる。この場合には、コントローラからリレーに対し、Ｂ側電源からＡ側電源に切り替えるための切り替え信号が出力される（Ｓ４６）。
【００６９】
また、値が「１」のフラグも閾値数続いていない場合には（Ｓ４５、ＮＯ）、処理を終了し、以降のフラグ判別の状態により、必要に応じてリレー動作を切り替えるための切り替え信号がコントローラからリレーに出力される。
【００７０】
図１６は、実施形態による電源切替え装置の更なる変形例を示す図面である。
【００７１】
図１６に示す回路は、供給電力が直流の場合のコントローラと周辺回路の構成例を示す。図１６に示すリレーには、Ａ側電源ラインとＢ側電源ラインとの２つのＤＣ電源ラインが接続されている。また、コントローラにはＡ側電源ラインが接続されている。
【００７２】
図１６の例ではＤＣ電源を扱っているため、交流信号を整流するための整流回路や、低周波成分を除去するハイパスフィルタは必要ではない。コントローラに入力した信号は、電圧調整回路によって降圧された後、図７に示す回路と同様に、第一のコンパレータ、ローパスフィルタ、第二のコンパレータ、ロジック回路を介して、切り替え信号としてリレーに供給される。
【００７３】
ここで、電源供給系統を切り替えた場合、負荷の電源回路などから電流が逆流してくる可能性がある。しかし、図１６の例では直流電流を扱っているため、リレーと負荷との間に逆流防止用のダイオードを付加することで、電流の逆流を防止することが可能である。
【００７４】
図１７は、図１６に図示した回路の変形例である。図１７の回路は、図１６に示す第一のコンパレータ、ローパスフィルタ、第二のコンパレータ、ロジック回路の機能を、デジタル的な処理を実行する１チップマイコンに実行させるものであり、図１２と同様な動作を行うものである。
【００７５】
図１８は、更なる変形例による回路を開示するものであり、リレーに交流のＡ側電源ラインと、直流のＢ側電源ラインとが入力として接続された例を示している。定常時には、Ａ側電源ラインからの電流をＡＣ−ＤＣコンバータで直流電流に変換して、リレーを介して負荷に供給する。一方、Ｂ側電源ラインは予備用電力源として用いられるものであり、たとえばバッテリーが接続される。Ａ側電源ラインからの電力供給が断たれた場合には、リレーがＢ側電源ラインに切り替えられる。これによって、Ｂ側電源ラインから供給される直流電流がリレーを介して負荷に供給される。
【００７６】
図１９は、交流電源と直流電源とを併用した場合の回路例を示す図面である。図１９（Ａ）はダイオードＯＲ回路を用いた例を、図１９（Ｂ）はＳＴＳ回路を用いた例を、それぞれ示す。
【００７７】
図１９（Ａ）および図１９（Ｂ）において、バッテリーは図１８に示すＢ側電源に相当する。図１９（Ａ）の例では、ダイオードをかいしてＢ側電源であるバッテリーを負荷側に接続している。また、負荷の手前には逆流防止ダイオードが接続される。図１９（Ａ）の回路では、Ａ側からの電圧が低下して、Ｂ側電圧＞Ａ側電圧という関係になった場合、即座にバッテリーから負荷に電力が供給される。
【００７８】
図１９（Ａ）の例は、ダイオードを用いるだけでよいため、回路を構成する部品点数が少なくなる。しかしながら、ダイオードを介してＢ側電源であるバッテリーが負荷に接続されているため、ダイオードによる電圧降下が生じてしまう。
【００７９】
また、Ａ側電源がダウンしていなくても、Ａ側電源の電圧が変動する可能性がある。この場合には、Ａ側電源とＢ側電源との双方の電源から電力が供給されることになってしまう。そして、バッテリーは実質的に負荷に接続された状態となっているため、バッテリーの自然消耗が起きる可能性がある。そのため図１９（Ａ）の例では２次電池や充電回路が必要となる。
【００８０】
これに対し、図１９（Ｂ）の例では、電源系統の切り替えにＳＴＳ回路を用いている。図１９（Ｂ）の回路はそのため、図１９（Ａ）の回路と比較すると部品点数が増える。しかしながら、図１９（Ｂ）の回路ではダイオードを用いていないため、電圧損失の要素となりえるのはリレーの接触抵抗のみとなる。また、図１９（Ｂ）の例ではリレーを用いているため、Ａ側電源のラインとＢ側電源のラインとを絶縁することが可能である。そのため、Ａ側電源が正常に動作している状況では、Ｂ側電源であるバッテリーの消耗を抑えることが可能であり、バッテリーの寿命を図１９（Ｂ）の回路と比較して延ばすことが期待できる。したがって、図１９（Ｂ）の回路では、状況によっては１次電池の利用を考慮することも可能である。
【００８１】
図２０は、負荷としてのサーバの電源回路からの電流逆流を説明する図面である。図２０では、リレーは図示省略している。
【００８２】
Ａ側電源とサーバの電源回路との間には、Ａ側電源の電圧を監視するコントローラが設けられている。サーバの電源回路には、入力容量とインダクタとが存在する。通常時にサーバに電力が供給されている状態で、電源回路の入力容量とインダクタに電力が溜まる。ここでＡ側電源がダウンし、サーバに電力が供給されなくなった場合には、サーバ電源回路の入力容量やインダクタに蓄積した電力が、コントローラ側に逆流する可能性が出てくる。
【００８３】
コントローラに電流が逆流すると、コントローラが検出すべき電圧値がすぐには０Ｖとはならないため、コントローラの誤検出が生じ、Ａ側電源がダウンしているにもかかわらずコントローラが電源断を検出できず、リレーの切り替えが遅れる可能性がある。
【００８４】
ここで、コントローラでは電圧調整回路によって、入力電圧を降圧しているが、電圧調整回路出力がほぼ一定になるように対応している。そのため、Ａ側電源から供給される電圧が高い高出力状態の場合には、サーバの電源回路の入力容量やインダクタに溜まった電力に基づく逆流電流の電圧値はピークの電圧値と比較して相対的に低くなるため、コントローラの誤検出によるリレー切り替え遅延の影響はそれほど大きくならない（図２１（ｂ））。
【００８５】
これに対し、低出力の状態では、もともとの入力電圧が小さいため、逆流電流の電圧値が相対的に大きなものとなり、コントローラによる電圧監視動作に大きな影響を与えることになってしまう（図２１（ａ））。
【００８６】
このような逆流電流の影響を小さくするために、コントローラの入力側にハイパスフィルタを設けるという対応も可能である（図２１（ｃ））。しかし、ハイパスフィルタを設けることで、消費電力が増加するという問題も生じ得る。そのため、低出力時の切り替え遅延の影響と、ハイパスフィルタを設けることの消費電力増加との相関を考慮して、両者のバランスを取ることができるようにハイパスフィルタの特性を決定することが重要となる。なお、適切なハイパスフィルタの特定は、電力を供給する装置や使用環境などによっても変化しうるため、ここでは詳細な特性については説明を省略する。
【００８７】
図２２は、各部の回路構成例を示す図面である。上記の装置は、たとえば図２２のような回路構成で実現可能である。
【００８８】
リレースイッチには、２系統の２００ボルトの交流電流が入力する。また、リレースイッチにはリレーＲＹ１、ＲＹ２が設けられ、電源回路に入力する電流を切り替える。通常時は、図示上側の電力系統にリレーは切り替えられている。
【００８９】
リレースイッチから出力した電流は電源回路を介して、サーバなどの負荷に供給される。また、リレー出力は、電源断検出回路にも入力する。
【００９０】
電源断検出回路には、ハイパスフィルタＨＰＦ、整流回路、第一のコンパレータ、ローパスフィルタＬＰＦおよび第二のコンパレータが設けられており、第二のコンパレータ出力はロジック部に入力する。
【００９１】
ロジック部は、図示ＣＮ２より、リレー切り替え信号を出力する。
【００９２】
リレー駆動回路は、ロジックから出力された信号に応じて、リレーＲＹ１、ＲＹ２を切り替える。
【００９３】
なお、第１コンパレータ、ローパスフィルタ、第２のコンパレータ、ロジック部は、必要に応じて１チップマイコン化が可能である。
【００９４】
図２３は、実施形態による電源切替え装置の応用例を説明する図面である。
【００９５】
図２３は、ｎ台のサーバがサーバラックに搭載された例を図示している。サーバラック内にはコンセントバーが設けられている。また、サーバラックにはＡ回路とＢ回路との、２つの電源供給用回路が接続されている。
【００９６】
図２３図示下端には、Ｂ回路の電圧を検出するための検知回路が設けられている。また、コンセントバーの内部には、各サーバに対応して、本実施形態による電源切り替え回路が設けられている。検知回路は、各電源切り替え回路に接続されており、Ｂ回路の電圧検出の結果に応じて、各電源切り替え回路に切り替え信号を出力する。
【００９７】
図２３のようにサーバラック内に電源切り替え回路と検知回路とを設けることで、検知回路や電源切り替え回路と各サーバとの距離を大きくとらなくてもよくなる。
【図１】
0005765165.tif 000002
【図２】
0005765165.tif 000003
【図３】
0005765165.tif 000004
【図４】
0005765165.tif 000005
【図５】
0005765165.tif 000006
【図６】
0005765165.tif 000007
【図７】
0005765165.tif 000008
【図８】
0005765165.tif 000009
【図９】
0005765165.tif 000010
【図１０】
0005765165.tif 000011
【図１１】
0005765165.tif 000012
【図１２】
0005765165.tif 000013
【図１３】
0005765165.tif 000014
【図１４】
0005765165.tif 000015
【図１５】
0005765165.tif 000016
【図１６】
0005765165.tif 000017
【図１７】
0005765165.tif 000018
【図１８】
0005765165.tif 000019
【図１９】
0005765165.tif 000020
【図２０】
0005765165.tif 000021
【図２１】
0005765165.tif 000022
【図２２】
0005765165.tif 000023
【図２３】
0005765165.tif 000024
【図２４】
0005765165.tif 000025
【図２５】
0005765165.tif 000026